(57)【要約】【課題】画像信号の入力が検出されなくなったときの表示画像の変化による違和感を緩和することが可能な画像表示装置を提供することを目的とする。【解決手段】画像表示装置（プロジェクタ１）は、画像入力端子（画像入力端子部３０）から入力された画像信号に基づく画像データを格納する第１の画像記憶部（第１のフレームメモリ３２ａ）と、第１の画像記憶部に格納された画像データを、複写して保持する第２の画像記憶部（第２のフレームメモリ３３）と、画像入力端子への画像信号の入力を検出する信号検出部（画像信号検出部３６）と、信号検出部が画像信号の変化を検出した場合、第２の画像記憶部に保持されている画像データを、保持画像として表示部（画像投写部１０）に表示させる画像制御部３７と、を備える。【選択図】図１
2009020316.tif 000002
【特許請求の範囲】
【請求項１】
画像入力端子から入力された画像信号に基づき画像を表示する表示部を有する画像表示装置であって、
前記画像入力端子から入力された前記画像信号に基づく画像データを格納する第１の画像記憶部と、
前記第１の画像記憶部に格納された前記画像データを、複写して保持する第２の画像記憶部と、
前記画像入力端子への前記画像信号の入力を検出する信号検出部と、
前記信号検出部が前記画像信号の変化を検出した場合、前記第２の画像記憶部に保持されている前記画像データを、保持画像として前記表示部に表示させる画像制御部と、
を備えることを特徴とする画像表示装置。
【請求項２】
請求項１に記載の画像表示装置であって、
前記第２の画像記憶部は、複数の前記画像データを保持し、
前記画像データ毎に、前記画像データが正常な前記画像信号に基づいて生成されたものか否かの情報を記憶する信号情報記憶部と、
前記信号情報記憶部に記憶された情報に基づき、複数の前記画像データの中から正常な前記画像信号に基づいて生成された前記画像データを選択する選択部と、
を備えることを特徴とする画像表示装置。
【請求項３】
請求項１または２に記載の画像表示装置であって、
前記第１の画像記憶部に格納された前記画像データを、前記第２の画像記憶部に複写する第１の所定の時間間隔を計時する第１のタイマ部を有し、
前記信号検出部が前記画像信号を検出している間、前記第１の画像記憶部に格納された前記画像データは、前記第１のタイマ部が計時する前記第１の所定の時間間隔毎に前記第２の画像記憶部に複写されることを特徴とする画像表示装置。
【請求項４】
請求項１乃至３のいずれか一項に記載の画像表示装置であって、
前記画像入力端子に前記画像信号が入力されていない旨を表す表示データを、前記保持画像に重畳する重畳部を有することを特徴とする画像表示装置。
【請求項５】
請求項１乃至４のいずれか一項に記載の画像表示装置であって、
前記保持画像の表示を開始した時点からの経過時間を計時する第２のタイマ部を有し、
前記保持画像の表示を開始した後、前記第２のタイマ部による計時時間が第２の所定の時間に達した時に、前記画像制御部は、前記保持画像の表示を終了させ、前記画像信号の入力が無い旨を表す無信号表示画像に切り換え、前記表示部に表示させることを特徴とする画像表示装置。
【請求項６】
請求項１乃至５のいずれか一項に記載の画像表示装置であって、
前記保持画像の表示中に、前記信号検出部が画像信号の入力を検出した場合、前記画像制御部は、前記保持画像の表示を終了させ、前記表示部に前記画像信号に基づく画像を表示させることを特徴とする画像表示装置。
【請求項７】
請求項１乃至６のいずれか一項に記載の画像表示装置であって、
前記表示部は、
光源と、
前記光源から射出された光を前記画像信号に基づいて変調し、画像を形成する光変調装置と、
前記光変調装置で形成された画像を投写する投写光学系と、
からなるプロジェクタであることを特徴とする画像表示装置。
【発明の詳細な説明】
【技術分野】
【０００１】
本発明は、入力された画像信号を画像として表示する画像表示装置に関する。
【背景技術】
【０００２】
従来、画像表示装置（例えば、プロジェクタ等）の使用においては、画像表示装置に、画像ケーブルを介して画像供給装置（例えば、パーソナルコンピュータやビデオプレーヤ等）を接続して画像の表示を行う。画像表示装置には、画像供給装置からの画像信号を入力する複数の画像入力端子を備えており、ユーザが選択した画像入力端子に入力された画像信号を画像として表示する。このような画像表示装置は、選択した画像入力端子に画像信号が入力されなくなった場合、直ちに、画像信号の入力が無い旨を表す画像（無信号表示画像）を表示する。
【０００３】
また、特許文献１では、画像表示装置として、複数の画像信号入力系を備え、さらに画像信号入力系毎に複数の画像入力端子を有し、選択した画像信号入力系毎に画像入力端子を選択することで、入力切換の操作回数を減少させるものが開示されている。
【０００４】
【特許文献１】特開２００３−２７４３１６号公報
【発明の開示】
【発明が解決しようとする課題】
【０００５】
しかし、このように画像表示装置に画像供給装置を接続して画像の表示を行っている途中で、画像供給装置から画像ケーブルを抜いて別の画像供給装置に接続した場合、画像ケーブルが抜かれている間は、無信号表示画像が表示される。この無信号表示画像は、本来、画像表示装置を視聴している聴衆に見せる目的の表示画像ではないため、例えば、プロジェクタを用いてプレゼンテーションを行う際に、上述したような画像ケーブルの抜き差しを行うことで無信号表示画像が表示されると、聴衆に違和感を与えてしまうという課題があった。
【課題を解決するための手段】
【０００６】
本発明は、上述の課題の少なくとも一部を解決するためになされたものであり、以下の形態または適用例として実現することが可能である。
【０００７】
［適用例１］画像入力端子から入力された画像信号に基づき画像を表示する表示部を有する画像表示装置であって、画像入力端子から入力された画像信号に基づく画像データを格納する第１の画像記憶部と、第１の画像記憶部に格納された画像データを、複写して保持する第２の画像記憶部と、画像入力端子への画像信号の入力を検出する信号検出部と、信号検出部が画像信号の変化を検出した場合、第２の画像記憶部に保持されている画像データを、保持画像として表示部に表示させる画像制御部と、を備えることを特徴とする画像表示装置。
【０００８】
このような画像表示装置によれば、第１の画像記憶部に格納された画像データを、第２の画像記憶部に複写して保持（保存）し、信号検出部が画像信号の変化を検出した場合、画像制御部は、第２の画像記憶部に保持されている画像データを、保持画像として表示部に表示させる。これにより、入力された画像信号を画像として表示している途中で、画像信号の入力が検出されなくなったときには、保持画像が表示されるため、画像信号の入力が無い状態（例えば、後述する「無信号表示画像」の表示状態等）が表示されることを避けることが可能となり、聴衆に与える違和感を緩和することができる。
【０００９】
［適用例２］上記画像表示装置であって、第２の画像記憶部は、複数の画像データを保持し、画像データ毎に、画像データが正常な画像信号に基づいて生成されたものか否かの情報を記憶する信号情報記憶部と、信号情報記憶部に記憶された情報に基づき、複数の画像データの中から正常な画像信号に基づいて生成された画像データを選択する選択部と、を備えることを特徴とする画像表示装置。
【００１０】
このような画像表示装置によれば、第２の画像記憶部は、複数の画像データを保持（保存）し、信号情報記憶部は、その画像データ毎に画像データが正常な画像信号に基づいて生成されたものか否かの情報（以降、「信号良否情報」と呼ぶ）を記憶する。そして、選択部は、信号良否情報に基づき、複数の画像データの中から正常な画像信号に基づいて生成された画像データを選択する。ここで、正常な画像信号とは、ノイズ等の影響で正しく同期が取れていない信号や、画像信号の規格から外れている信号等ではなく、正しく受信された画像信号を表している。このように、第２の画像記憶部に複数の画像データを保持することで、第２の画像記憶部内に正常な画像信号に基づいて生成された画像データが存在する確率が上がる。そして、正常な画像信号に基づいて生成された画像データを選択して正常な保持画像として表示することが可能になる。
【００１１】
［適用例３］上記画像表示装置であって、第１の画像記憶部に格納された画像データを、第２の画像記憶部に複写する第１の所定の時間間隔を計時する第１のタイマ部を有し、信号検出部が画像信号を検出している間、第１の画像記憶部に格納された画像データは、第１のタイマ部が計時する第１の所定の時間間隔毎に第２の画像記憶部に複写されることを特徴とする画像表示装置。
【００１２】
このような画像表示装置によれば、第１の画像記憶部に格納された画像データは、信号検出部が画像信号を検出している間、第１の所定の時間間隔毎に、第２の画像記憶部に複写されるため、第１の画像記憶部に画像データが格納される毎に複写を行う場合と比較して、ソフトウェア処理の負荷が低減する。
【００１３】
［適用例４］上記画像表示装置であって、画像入力端子に画像信号が入力されていない旨を表す表示データを、保持画像に重畳する重畳部を有することを特徴とする画像表示装置。
【００１４】
このような画像表示装置によれば、重畳部が、画像信号が入力されていない旨を表す表示データ（例えば、ＯＳＤ（On Screen Display）データ）を、保持画像に重畳することで、画像信号が入力されていないことをユーザに認識させることができる。
【００１５】
［適用例５］上記画像表示装置であって、保持画像の表示を開始した時点からの経過時間を計時する第２のタイマ部を有し、保持画像の表示を開始した後、第２のタイマ部による計時時間が第２の所定の時間に達した時に、画像制御部は、保持画像の表示を終了させ、画像信号の入力が無い旨を表す無信号表示画像に切り換え、表示部に表示させることを特徴とする画像表示装置。
【００１６】
このような画像表示装置によれば、タイマ部による計時時間が第２の所定の時間に達した時に、画像制御部は保持画像の表示を終了させ、表示部に無信号表示画像の表示をさせる。これにより、第２の所定の時間に達すれば、画像信号の入力が無いことが保持画像の表示よりも強調して表示され、ユーザに画像信号の入力を強く促すことができる。
【００１７】
［適用例６］上記画像表示装置であって、保持画像の表示中に、信号検出部が画像信号の入力を検出した場合、画像制御部は、保持画像の表示を終了させ、表示部に画像信号に基づく画像を表示させることを特徴とする画像表示装置。
【００１８】
このような画像表示装置によれば、保持画像を表示している間に信号検出部が画像信号の入力を検出した場合、画像制御部は、保持画像の表示を終了させ、表示部に画像信号に基づく画像を表示させる。これにより、画像信号の入力が無い状態（例えば、無信号表示画像）を表示することなく、新たに検出した画像信号に基づく画像を表示することができるため、例えば、画像ケーブルの抜き差しをする場合に、聴衆に与える違和感を緩和することができる。
【００１９】
［適用例７］上記画像表示装置であって、表示部は、光源と、光源から射出された光を画像信号に基づいて変調し、画像を形成する光変調装置と、光変調装置で形成された画像を投写する投写光学系と、からなるプロジェクタであることを特徴とする画像表示装置。
【００２０】
こうすれば、上述の表示部の構成により、画像信号の入力が検出されなくなったときに保持画像を投写して表示させることができ、画像信号の入力が無い状態（例えば、無信号表示画像）が表示されることのないプロジェクタを提供することができる。また、このようなプロジェクタでは、聴衆に与える違和感を緩和することが可能となる。
【発明を実施するための最良の形態】
【００２１】
以下、画像表示装置の実施形態として、光源から射出された光を画像信号に基づいて変調して画像を形成し、この画像を外部のスクリーン等に投写するプロジェクタに適用した場合について説明する。
【００２２】
（実施形態）
図１は、本実施形態に係る画像表示装置としてのプロジェクタの概略構成を示すブロック図である。図１を使用して、プロジェクタ１の内部構成について説明する。
【００２３】
プロジェクタ１は、画像の投写を行う画像投写部１０と、制御部２０と、入力操作部２１と、タイマ部２２と、画像入力端子部３０と、画像端子選択部３１と、画像処理部３２と、第１の画像記憶部としての第１のフレームメモリ３２ａと、第２の画像記憶部としての第２のフレームメモリ３３と、信号情報記憶部３４と、重畳部としてのＯＳＤ重畳部３５と、信号検出部としての画像信号検出部３６と、画像制御部３７と、設定記憶部３８とを備えている。また、図１には、プロジェクタ１の外部に、スクリーンＳＣを図示している。
【００２４】
画像投写部１０は、超高圧水銀ランプやメタルハライドランプ等の放電型光源やＬＥＤ（Light Emitting Diode）等の固体型光源からなる光源１１と、光変調装置としての液晶ライトバルブ１２と、投写光学系としての投写レンズ１３と、液晶ライトバルブ１２を駆動するライトバルブ駆動部１４とを備えている。
【００２５】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００２６】
光源１１から射出された光は、この液晶ライトバルブ１２を透過することによって変調され、変調後の光が投写レンズ１３によって投写されることにより、スクリーンＳＣ等に画像信号に応じた画像が表示される。
【００２７】
制御部２０は、ＣＰＵ（Central Processing Unit）、フラッシュメモリ等からなるＲＯＭ（Read Only Memory）、各種データの一時記憶等に用いられるＲＡＭ（Random Access Memory）等（いずれも図示せず）を備え、コンピュータとして機能するものである。制御部２０は、ＣＰＵがＲＯＭに記憶されている制御プログラムに従って動作することにより、プロジェクタ１の動作を統括制御する。
【００２８】
入力操作部２１は、プロジェクタ１に対して各種指示を行うための複数のキー等を備えている。入力操作部２１が備えるキーには、電源のオン／オフを行うための電源キーや、各種設定を行うためのメニュー画面の表示／非表示を切り換えるメニューキー、画像入力端子を切り換えるための入力切換キー、決定キー等がある。ユーザが入力操作部２１を操作すると、入力操作部２１は、ユーザの操作内容に応じた操作信号を制御部２０に出力する。なお、リモコン信号受信部（図示せず）を有し、入力操作部２１として、遠隔操作が可能なリモートコントローラ（図示せず）を用いた構成としてもよい。この場合、リモートコントローラは、ユーザの操作内容に応じた赤外線等の操作信号を発し、リモコン信号受信部がこれを受信して制御部２０に伝達してもよい。
【００２９】
タイマ部２２は、制御部２０からの指示によって、様々なタイマ機能として計時処理を行う。本実施形態では、第１のタイマ部として機能する場合は、第１の所定の時間として、第１のフレームメモリ３２ａの画像データを第２のフレームメモリ３３に複写する時間間隔を定期的に計時する。また、第２のタイマ部として機能する場合は、第２の所定の時間として、保持画像の表示開始時からの経過時間を計時する。このように計時を行い、所定の時間に達した時に、制御部２０に通知を行う。そして、制御部２０は、これらの計時結果を画像制御部３７に出力する。
【００３０】
画像入力端子部３０には、パーソナルコンピュータやビデオプレーヤ等、外部の画像供給装置（図示せず）と画像ケーブルを介した接続を行うための各種の画像入力端子が備えられ、画像供給装置から各種画像信号が入力される。
【００３１】
画像端子選択部３１は、制御部２０からの指示に従い、画像入力端子部３０の中から１つの画像入力端子を選択し、その画像入力端子に入力されている画像信号を画像処理部３２へ出力する。
【００３２】
画像処理部３２は、画像端子選択部３１から出力された画像信号を入力し、画像信号に基づいた画像データを生成し、内蔵する第１のフレームメモリ３２ａに格納する。ここで、第１のフレームメモリ３２ａは、画像データを格納するメモリである。そして、画像制御部３７からの指示により、画像処理部３２は、画像データに対して各種画像データ処理（画像処理、台形歪補正処理、画質調整処理等）を施し、ＯＳＤ重畳部３５に出力する。
【００３３】
また、画像処理部３２は、第１のフレームメモリ３２ａに格納された画像データを、第１の所定の時間間隔毎に第２のフレームメモリ３３に出力する。本実施形態では、第１の所定の時間は、０．５秒としている。なお、第１の所定の時間は０．５秒に限定するものではない。さらに、画像処理部３２は、第２のフレームメモリ３３に画像データを出力する際に、この画像データの信号良否情報を信号情報記憶部３４に出力する。
【００３４】
そして、保持画像を表示する際には、画像処理部３２は、画像制御部３７からの指示により、第２のフレームメモリ３３に保存されている画像データを入力し、保持画像の画像データとしてＯＳＤ重畳部３５に出力する。
【００３５】
第２のフレームメモリ３３は、画像処理部３２から出力された画像データを複写して保存（保持）するメモリである。また、信号情報記憶部３４は、画像処理部３２から出力された信号良否情報を保存するメモリである。
【００３６】
図２は、第２のフレームメモリの領域構成図である。図２に示すように、第２のフレームメモリ３３は、４つの画像データ（画像データ１〜画像データ４）を保存する領域構成としている。画像処理部３２から出力された画像データは、第２のフレームメモリ３３の画像データ１の領域から順次書き込まれ、保存される。画像データを書き込む際に、既に第２のフレームメモリ３３に４つの画像データが保存済みであった場合、最古の画像データを消去し、空いた領域に今回の画像データを書き込む。ここで、最古の画像データとは、保存済みの４つの画像データの中で最初に書き込まれた画像データを示している。なお、本実施形態では、第２のフレームメモリ３３は、４つの画像データを記憶可能としているが、メモリの容量に応じて画像データの領域数を増減してもよい。
【００３７】
図３は、信号情報記憶部の領域構成図である。図３に示すように、信号情報記憶部３４は、４つの信号良否情報（信号良否情報１〜信号良否情報４）を保存する領域構成としている。信号良否情報１〜信号良否情報４は、それぞれ、画像データ１〜画像データ４に対応している。画像処理部３２から出力された信号良否情報は、信号情報記憶部３４の信号良否情報１の領域から順次書き込まれ、保存される。信号良否情報を書き込む際に、既に信号情報記憶部３４に４つの信号良否情報が保存済みであった場合、第２のフレームメモリの場合と同様に、最古の信号良否情報を消去し、空いた領域に今回の信号良否情報を書き込む。ここで、最古の信号良否情報とは、保存済みの４つの信号良否情報の中で最初に書き込まれた信号良否情報を示している。なお、信号良否情報の領域の数は、第２のフレームメモリに保存する画像データ数と同数とするため、信号情報記憶部３４内の信号良否情報と第２のフレームメモリ３３内の画像データは、常に１対１対応となる。
【００３８】
また、本実施形態では、保持画像として第２のフレームメモリ３３から画像データを読み出す際には、正常な画像信号に基づいて生成された画像データの中から、最新のものを選択する。ここで、最新の画像データとは、保存されている正常な画像信号に基づいて生成された画像データの中で最後に書き込まれた画像データを示している。これを実現するために、画像処理部３２は、信号情報記憶部３４の信号良否情報１〜信号良否情報４を検索し、正常な画像信号に基づいて生成されたものを選択する。さらに、その中から最新の信号良否情報を選択し、その信号良否情報に対応した第２のフレームメモリ３３内の画像データを読み出す。ここで、本実施形態では、画像データ１〜画像データ４および信号良否情報１〜信号良否情報４の領域には、順次書き込みが行われており、次に書き込みを行う領域を管理しているため、書き込みが行われた順番を判断することが可能である。よって、最新の信号良否情報がどれかを判断することも可能である。このように、正常な画像信号に基づいて生成された画像データを選択する際の画像処理部３２が、選択部に相当する。
【００３９】
図１に戻り、ＯＳＤ重畳部３５は、画像制御部３７からの指示により、画像処理部３２から入力した画像データに対して、表示データとしてＯＳＤデータを重畳する。保持画像を表示する際には、保持画像の画像データ上に画像入力端子に画像信号が入力されていない旨を表すＯＳＤデータを重畳する。そして、画像投写部１０へ画像データを出力する。
【００４０】
図４は、保持画像の表示図である。図４に示すように、保持画像Ｇ１は、画像処理部３２から入力した画像データ（図４のグラフ画像）に対して、画像入力端子に画像信号が入力されておらず、画像を保持している旨を示す「信号未検出：映像保持中」というＯＳＤデータを画面下部に重畳している。
【００４１】
図１に戻り、画像信号検出部３６は、画像制御部３７からの指示により、画像端子選択部３１が選択している画像入力端子の画像信号の入力を検出し、入力があるか否かを画像制御部３７に通知する。
【００４２】
画像制御部３７は、制御部２０からの指示に従い、画像の制御を行う。画像制御部３７は、画像信号検出部３６から画像信号の入力の情報を入力する。また、設定記憶部３８から、保持画像Ｇ１の表示を許可するか否かについてユーザが設定した情報を入力する。画像制御部３７は、これらの情報に基づいて保持画像Ｇ１を表示するか否かを判断する。
【００４３】
そして、保持画像Ｇ１を表示する場合は、画像制御部３７は、画像処理部３２に対して第２のフレームメモリ３３から画像データを読み出して出力するように指示をする。また、画像信号の入力が無い状態で保持画像Ｇ１を表示しない場合は、画像処理部３２に対して無信号表示画像の画像データを出力するように指示をする。また、画像信号の入力が検出されている状態では、画像処理部３２に対して画像信号を入力して画像データとして出力するように指示をする。また、画像制御部３７は、画像処理部３２に対して、各種画像データ処理を行うように指示をする。さらに、画像制御部３７は、ＯＳＤ重畳部３５に対して、ＯＳＤデータの重畳についての指示をする。
【００４４】
図５は、無信号表示画像の表示図である。図５に示すように、本実施形態では、無信号表示画像Ｇ２は、単色の画面の下部に、画像信号が入力されていない旨を示す「映像信号が入力されていません。」という文字列と、選択されている画像入力端子を示す「入力ソース：コンピュータ」という文字列を表示した画像データとしている。
【００４５】
図１に戻り、設定記憶部３８は、画像信号の入力が検出されなくなったときに、保持画像Ｇ１の表示を許可するか否かの設定を記憶する。設定した値は、制御部２０により書き換えが行われる。また、設定した値は、画像制御部３７によって読み出される。
【００４６】
図６は、保持画像表示設定メニューの表示図である。保持画像表示設定メニューとは、保持画像Ｇ１の表示を許可するか否かを設定するメニュー項目の画面である。本実施形態では、図６に示すように、プロジェクタ１にソフトウェアとして実装する機能設定メニューに「保持映像表示設定」項目画面Ｍ１を設けている。「保持映像表示設定」項目画面Ｍ１では、保持映像（保持画像Ｇ１）の表示を許可するか否かを、ユーザが設定する。ユーザは、入力操作部２１を操作することによって、「はい」（許可する）または「いいえ」（許可しない）のいずれかを選択し、設定する。ユーザが選択した設定は、設定記憶部３８に記憶する。
【００４７】
図１のような構成によって、プロジェクタ１は、画像信号の入力が検出されなくなったときに保持画像Ｇ１を表示するか否かを判断し、保持画像Ｇ１を表示する場合は、第２のフレームメモリ３３に保存されている画像データを保持画像Ｇ１として表示することができる。また、保持画像Ｇ１を表示しない場合は、無信号表示画像Ｇ２を表示することができる。さらに、画像信号の入力が検出されている場合は、入力した画像信号に基づく画像データを画像として表示することができる。
【００４８】
次に、本実施形態におけるプロジェクタ１の動作について説明する。
図７は、本実施形態に係るプロジェクタの画像信号の入力が検出されなくなったときの処理のフローチャートである。当フローチャートを用いて、画像信号の入力が検出されており、その画像信号に基づく画像を表示している状態（以降、「入力画像表示状態」と呼ぶ）で、画像信号の入力が検出されなくなったときのプロジェクタ１の処理について説明する。
【００４９】
プロジェクタ１に画像信号の入力が検出されなくなると、画像制御部３７は、設定記憶部３８から設定情報を読み出して、保持画像Ｇ１の表示が許可されているか否かを判断する（ステップＳ１００）。保持画像Ｇ１の表示が許可されていれば（ステップＳ１００：ＹＥＳ）、画像制御部３７は、画像処理部３２に保持画像Ｇ１の画像データを出力するように指示を出す。そして、画像処理部３２は、第２のフレームメモリ３３に保存されている正常な画像信号に基づいて生成された画像データの中から、最新のもの（最後に書き込まれた画像データ）を読み出して保持画像Ｇ１の画像データとして出力する。さらに、ＯＳＤ重畳部３５は、保持画像Ｇ１の画像データ上に画像入力端子に画像信号が入力されていない旨を表すＯＳＤデータを重畳し、画像投写部１０は、保持画像Ｇ１の画像データを表示する（ステップＳ１０１）。これにより、プロジェクタ１は保持画像Ｇ１を表示している状態（以降、「画像保持状態」と呼ぶ）に移行する。
【００５０】
次に、制御部２０は、タイマ部２２へ指示を出し、第２の所定の時間としての２分を計時するタイマをスタートする（ステップＳ１０２）。そして、当フローチャートは終了する。
【００５１】
また、ステップＳ１００において、保持画像Ｇ１の表示が許可されていなければ（ステップＳ１００：ＮＯ）、画像制御部３７は、画像処理部３２に無信号表示画像Ｇ２の画像データを出力するように指示を出す。そして、画像処理部３２は、無信号表示画像Ｇ２の画像データを出力し、画像投写部１０は無信号表示画像Ｇ２を表示する（ステップＳ１０３）。これにより、無信号表示画像Ｇ２を表示している状態（以降、「無信号表示状態」と呼ぶ）に移行し、当フローチャートは終了する。
【００５２】
上述した処理により、プロジェクタ１は、入力画像表示状態から画像保持状態または、無信号表示状態に移行する。
【００５３】
図８は、画像保持状態における処理のフローチャートである。当フローチャートを用いて、保持画像Ｇ１を表示している画像保持状態におけるイベントに対する処理について説明する。
【００５４】
画像保持状態では、制御部２０は、図７のフローチャートでスタートしたタイマの計時時間が第２の所定の時間に達したか否かを判断する（ステップＳ２００）。計時時間が第２の所定の時間に達していれば（ステップＳ２００：ＹＥＳ）、タイマ部２２は、タイマを停止する（ステップＳ２１０）。
【００５５】
そして、画像制御部３７は、画像処理部３２に保持画像Ｇ１の画像データの出力を終了するように指示を出す。そして、画像処理部３２は、保持画像Ｇ１の画像データの出力を終了する（ステップＳ２１１）。次に、画像制御部３７は、画像処理部３２に無信号表示画像Ｇ２の画像データを出力するように指示を出す。そして、画像処理部３２は、無信号表示画像Ｇ２の画像データを出力し、画像投写部１０は無信号表示画像Ｇ２を表示する（ステップＳ２１２）。これにより、プロジェクタ１は無信号表示状態に移行し、当フローチャートは終了する。
【００５６】
ステップＳ２００において、計時時間が第２の所定の時間に達していなければ（ステップＳ２００：ＮＯ）、制御部２０は、入力切換キーが押下されたか否かを判断する（ステップＳ２０１）。入力切換キーが押下されていれば（ステップＳ２０１：ＹＥＳ）、タイマ部２２は、タイマを停止する（ステップＳ２０６）。
【００５７】
そして、画像制御部３７は、画像処理部３２に保持画像Ｇ１の画像データの出力を終了するように指示を出す。そして、画像処理部３２は、保持画像Ｇ１の画像データの出力を終了する（ステップＳ２０７）。次に、制御部２０は、画像端子選択部３１に画像入力端子を切り換えるように指示を出し、画像端子選択部３１は、画像入力端子を切り換える（ステップＳ２０８）。
【００５８】
次に、画像信号検出部３６は、切り換えた画像入力端子に画像信号の入力があるか否かを判断する（ステップＳ２０９）。画像信号の入力が検出されない場合（ステップＳ２０９：ＮＯ）、画像制御部３７は、画像処理部３２に無信号表示画像Ｇ２の画像データを出力するように指示を出す。そして、画像処理部３２は、無信号表示画像Ｇ２の画像データを出力し、画像投写部１０は無信号表示画像Ｇ２を表示する（ステップＳ２１２）。これにより、プロジェクタ１は無信号表示状態に移行し、当フローチャートは終了する。
【００５９】
ステップＳ２０９において、画像信号の入力が検出された場合（ステップＳ２０９：ＹＥＳ）、画像制御部３７は、画像処理部３２に入力した画像信号に基づく画像データを出力するように指示を出す。そして、画像処理部３２は、入力した画像信号に基づく画像データを出力し、画像投写部１０は入力画像を表示する。（ステップＳ２０５）。これにより、プロジェクタ１は入力画像表示状態に移行し、当フローチャートは終了する。
【００６０】
ステップＳ２０１において、入力切換キーが押下されていなければ（ステップＳ２０１：ＮＯ）、画像信号検出部３６は、画像信号の入力が検出されたか否かを判断する（ステップＳ２０２）。画像信号の入力が検出されていれば（ステップＳ２０２：ＹＥＳ）、タイマ部２２は、タイマを停止する（ステップＳ２０３）。
【００６１】
次に、画像制御部３７は、画像処理部３２に保持画像Ｇ１の画像データの出力を終了するように指示を出す。そして、画像処理部３２は、保持画像Ｇ１の画像データの出力を終了する（ステップＳ２０４）。次に、画像制御部３７は、画像処理部３２に入力した画像信号に基づく画像データを出力するように指示を出す。そして、画像処理部３２は、入力した画像信号に基づく画像データを出力し、画像投写部１０は入力画像を表示する。（ステップＳ２０５）。これにより、プロジェクタ１は入力画像表示状態に移行し、当フローチャートは終了する。
【００６２】
ステップＳ２０２において、画像信号の入力が検出されていなければ（ステップＳ２０２：ＮＯ）、ステップＳ２００に移行し、経過時間の判断と押下キーの判断と信号入力の判断とを繰り返す。
【００６３】
上述したように、プロジェクタ１は、画像保持状態においてイベントに対する処理を行い、無信号表示状態または入力画像表示状態へ移行する。
【００６４】
上述した実施形態によれば、以下の効果が得られる。
（１）プロジェクタ１は、第１のフレームメモリ３２ａに格納された画像データを、第２のフレームメモリ３３に複写して保存する。そして、画像信号の入力が検出されなくなった場合、第２のフレームメモリ３３に保存されている画像データを、保持画像Ｇ１として表示する。これにより、入力された画像信号を画像として表示している途中で、画像信号の入力が検出されなくなったときには、保持画像Ｇ１が表示されるため、無信号表示画像Ｇ２の表示を避けることが可能となる。例えば、ユーザがプロジェクタ１を用いてプレゼンテーションを行っている途中で、プロジェクタ１に接続しているパーソナルコンピュータから別のパーソナルコンピュータに接続を変更するために、画像ケーブルを抜いても、プロジェクタ１は、無信号表示画像Ｇ２を表示することなく、保持画像Ｇ１を表示する。よって、プロジェクタ１を視聴している聴衆は無信号表示画像Ｇ２を目視しないため、表示画像の変化による違和感が緩和される。
【００６５】
（２）また、プロジェクタ１では、第２のフレームメモリ３３は複数の画像データを保存する。そして、複数の画像データの中から正常な画像信号に基づいて生成されたもののうち、最新の画像データを選択し、保持画像Ｇ１として表示する。このように、複数の画像データを保存することで、第２のフレームメモリ３３内に正常な画像信号に基づいて生成された画像データが存在する確率が上がる。そして、正常な画像信号に基づいて生成された画像データを選択して正常な保持画像Ｇ１として表示することが可能になる。また、最新の画像データを選択することで、画像信号の入力が検出されなくなる直前の画像データを保持画像Ｇ１として表示することが可能となる。
【００６６】
（３）また、プロジェクタ１では、第１のフレームメモリ３２ａに格納された画像データは、画像信号の入力を検出している間、第１の所定の時間間隔（０．５秒）毎に、第２のフレームメモリ３３に複写して保存される。ここで、第１の所定の時間間隔は、第１のフレームメモリ３２ａに画像データが格納される時間間隔よりも長いものとする。これにより、第１のフレームメモリ３２ａに画像データが格納される毎に第２のフレームメモリ３３への複写を行う場合と比較して、複写して保存する処理の頻度が減少するためソフトウェア処理の負荷が低減する。また、第１のフレームメモリ３２ａに画像データが格納される毎に第２のフレームメモリ３３への複写を行う場合、ノイズ等の影響で異常な画像信号が連続して入力されると、第２のフレームメモリ３３に、異常な画像データが連続して格納されてしまう。よって、これを避けるためにも、第１のフレームメモリ３２ａに格納された画像データを第１の所定の時間間隔毎に、第２のフレームメモリ３３に複写することは有益である。
【００６７】
（４）また、プロジェクタ１は、保持画像Ｇ１に画像信号が入力されていない旨を表すＯＳＤデータを重畳する。これにより、画像信号が入力されていないことをユーザに認識させることができ、画像信号の入力を促すことができる。さらに、保持画像Ｇ１に、画像を保持して表示している旨を表すＯＳＤデータを重畳することで、表示しているのは保持画像であることをユーザに認識させることが可能となる。
【００６８】
（５）また、プロジェクタ１は、保持画像Ｇ１の表示開始からの経過時間が第２の所定の時間（２分）に達した時に、保持画像Ｇ１の表示を終了し、無信号表示画像Ｇ２の表示をする。この無信号表示画像Ｇ２は、画像信号の入力が検出されないことをユーザに知らせることが目的の画像であり、保持画像Ｇ１よりも画像信号の入力が無いことが強調して表示されるため、ユーザに画像信号の入力を強く促すことができる。
【００６９】
（６）また、プロジェクタ１は、保持画像Ｇ１を表示している間に画像信号の入力を検出した場合、保持画像Ｇ１の表示を終了し、画像信号に基づく画像を表示する。これにより、保持画像Ｇ１を表示している間であれば、無信号表示画像Ｇ２を表示することなく、新たに検出した画像信号に基づく画像を表示することができる。例えば、ユーザがプロジェクタ１を用いてプレゼンテーションを行っている途中で、プロジェクタ１に接続しているパーソナルコンピュータから別のパーソナルコンピュータに接続を変更するために、画像ケーブルを抜くと、プロジェクタ１は保持画像Ｇ１を表示する。この保持画像Ｇ１が表示されているときに、画像ケーブルを接続すると、無信号表示画像Ｇ２は表示されずに、新たに接続されたパーソナルコンピュータの画像を表示する。よって、プロジェクタ１を視聴している聴衆は無信号表示画像Ｇ２を目視することなく、新たに接続されたパーソナルコンピュータの画像を視聴することが可能となるため、表示画像の変化による違和感が緩和される。
【００７０】
なお、上述した実施形態に限定されず、種々の変更や改良などを加えて実施することが可能である。変形例を以下に述べる。
【００７１】
（変形例１）上記実施形態では、第２の所定の時間は２分としているが、２分に限定するものではない。また、第２の所定の時間をユーザが設定できるものとしてもよい。例えば、プロジェクタ１にソフトウェアとして実装する機能設定メニューに、「映像保持時間設定」項目を設け、ユーザが入力操作部２１を操作することによって、第２の所定の時間を変更し、設定できるものとする。こうすれば、ユーザは、プロジェクタ１の保持画像Ｇ１の表示を終了する第２の所定の時間を自由に設定することが可能となる。
【００７２】
（変形例２）上記実施形態では、プロジェクタ１の機能設定メニューに「保持映像表示設定」項目画面Ｍ１を設け、保持画像Ｇ１の表示を許可するか否かを、設定記憶部３８に設定するものとしているが、設定記憶部３８を設けず、プロジェクタ１の画像入力端子に画像信号が入力されなくなった場合は、必ず保持画像Ｇ１を表示するものとしてもよい。
【００７３】
（変形例３）上記実施形態では、光変調装置として透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００７４】
（変形例４）上記実施形態では、画像表示装置として、プロジェクタ１を例にして説明しているが、透過型のスクリーンを一体的に備えたリアプロジェクタ、あるいは、液晶ディスプレイ、プラズマディスプレイ、ＳＥＤ（Surface-Conduction Electron-Emitter Display）、有機ＥＬ（Electro Luminescence）ディスプレイ、ＣＲＴ（Cathode Ray Tube）ディスプレイ等に適用することも可能である。
【図面の簡単な説明】
【００７５】
【図１】本実施形態に係る画像表示装置としてのプロジェクタの概略構成を示すブロック図。
【図２】第２のフレームメモリの領域構成図。
【図３】信号情報記憶部の領域構成図。
【図４】保持画像の表示図。
【図５】無信号表示画像の表示図。
【図６】保持画像表示設定メニューの表示図。
【図７】プロジェクタの画像信号の入力が検出されなくなったときの処理のフローチャート。
【図８】画像保持状態における処理のフローチャート。
【符号の説明】
【００７６】
１…プロジェクタ、１０…画像投写部、１１…光源、１２…液晶ライトバルブ、１３…投写レンズ、１４…ライトバルブ駆動部、２０…制御部、２１…入力操作部、２２…タイマ部、３０…画像入力端子部、３１…画像端子選択部、３２…画像処理部、３２ａ…第１のフレームメモリ、３３…第２のフレームメモリ、３４…信号情報記憶部、３５…ＯＳＤ重畳部、３６…画像信号検出部、３７…画像制御部、３８…設定記憶部。
【図１】
2009020316.tif 000003
【図２】
2009020316.tif 000004
【図３】
2009020316.tif 000005
【図４】
2009020316.tif 000006
【図５】
2009020316.tif 000007
【図６】
2009020316.tif 000008
【図７】
2009020316.tif 000009
【図８】
2009020316.tif 000010